(57)【特許請求の範囲】
【請求項１】
乾式施工される縦目地（４）と、この縦目地（４）に側方から横突き合わせ状態で接続されてクロス部分を形成しつつ乾式施工される横目地（６）とを介して複数枚のパネル（２）が建て込まれるパネルの目地構造であって、
縦目地（４）の裏側にはその長手方向に沿って縦排水通路（４０）が形成されていると共に、横目地（６）の裏側にはその長手方向に沿って横排水通路（４１）が形成されており、これら縦排水通路（４０）と横排水通路（４１）とが上記クロス部分で合流されて横排水通路（４１）の排水が縦排水通路（４０）で排水可能とされており、
前記クロス部分の裏側には、縦目地（４）の施工に用いられて前記縦排水通路（４０）を形成する乾式目地材（３）をバックアップする縦方向コーキング（３１）と、該縦方向コーキング（３１）の充填を案内する水切りジョイント（３３）と、該水切りジョイント（３３）の上部を覆うと共に及び左右で隣合うパネル（２）間に亘って貼り付けられて当該パネル（２）間の隙間を塞ぐジョイントシール（３６）とが配備されていることを特徴とするパネルの目地構造。
【請求項２】
前記横目地（６）の裏側にはこの横目地（６）の上側に配されるパネル（２）の下端辺部を上側へ凹ませることによる目地材受入れ凹部（１９）が形成されており、横目地（６）の施工に用いられる乾式目地材（５）には横目地施工用隙間への嵌め込み状態下でその後縁部を上反り状に跳ね上げて上記目地材受入れ凹部（１９）へ嵌め込み可能にした水返しリップ部（１２）が設けられていることを特徴とする請求項１記載のパネルの目地構造。
【請求項３】
前記ジョイントシール（３６）上には押さえシール（３７）が配備され、該押さえシール（３７）は、上位のパネル（２）に下方向に押圧されて上下方向に圧縮した状態に保持されていることを特徴とする請求項１又は請求項２記載のパネルの目地構造。
【発明の詳細な説明】
【０００１】
【発明の属する技術分野】
本発明は、建物の外壁等として採用可能なパネルの目地構造に関するものである。
【０００２】
【従来の技術】
建物の外壁等としてパネルを建て込む場合には、各パネルの繋ぎ部分に縦目地や横目地を設けることになる（特開平７−１１９２１６号公報等参照）。
一般に、プレハブ工法などでは施工作業の容易化及び施工期間の短縮化を図るために、乾式の目地材を用いることもあるが、縦目地及び横目地の双方を乾式目地材によって施工するには、それらのクロス部分での防水処理が面倒且つ困難になるといった理由から、多くの場合は縦目地を乾式目地材（合成ゴム製等のガスケット）によって形成させつつも、横目地は湿式目地材（シリコン等のシーリング材）によって形成させていた。
【０００３】
【発明が解決しようとする課題】
上記したように縦目地を乾式目地材によって形成し、横目地を湿式目地材によって形成した場合、殊に縦目地からその裏側へ浸入した排水は横目地とのクロス部分で滞留してうまく排水されないということがあり、結果、防水性に悪影響を来す場合があった。
また、湿式目地材には、紫外線による経年劣化や塵埃の付着等が原因して外観的な劣化が著しいという問題や、振動（殊に地震時）に対する追従性に乏しくクラックや破断に至るおそれがあるといった問題があった。
【０００４】
本発明は、上記事情に鑑みてなされたものであって、構造が簡潔であると共に施工が容易であり、施工後の防水性が高く、また外観的な美麗さを長年にわたって維持できるようにしたパネルの目地構造を提供することを目的とする。
【０００５】
【課題を解決するための手段】
前記目的を達成するために、本発明は次の手段を講じた。
即ち、本発明に係るパネルの目地構造は、乾式施工される縦目地と、この縦目地に側方から横突き合わせ状態で接続されてクロス部分を形成しつつ乾式施工される横目地とを有したもので、これら縦目地と横目地とをと介して複数枚のパネルが建て込まれるものである。
そして、縦目地の裏側にはその長手方向に沿って縦排水通路が形成されていると共に、横目地の裏側にはその長手方向に沿って横排水通路が形成されている。
【０００６】
また、これら縦排水通路と横排水通路とは、上記した縦目地と横目地とのクロス部分で合流されており、これによって横排水通路の排水が縦排水通路で排水可能とされている。
このように、本発明では縦目地及び横目地が共に乾式目地であり、外観性などに関する従来の欠点は解消されている。
また縦目地の裏側へ浸入した排水は縦排水通路によって排水されるし、横目地の裏側へ浸入した排水は横排水通路から縦排水通路へと誘導されて、結局はこの縦排水通路によって排水されることになる。そのため、防水性に関しても従来の欠点は解消されている。
また、前記クロス部分の裏側には、縦目地の施工に用いられて前記縦排水通路を形成する乾式目地材をバックアップする縦方向コーキングと、該縦方向コーキングの充填を案内する水切りジョイントと、該水切りジョイントの上部を覆うと共に及び左右で隣合うパネル間に亘って貼り付けられて当該パネル間の隙間を塞ぐジョイントシールとが配備されている。
【０００７】
横目地の裏側に対し、この横目地の上側に配されるパネルの下端辺部を上側へ凹ませることによる目地材受入れ凹部を形成しておくのが好適である。
この場合、横目地の施工に用いる乾式目地材としては、その後縁部に水返しリップ部を設けておく。この水返しリップ部は、この乾式目地を横目地施工用の隙間へ嵌め込んだときに上反り状に跳ね上がるようになったもので、この跳ね上がりによって上記したパネルの目地材受入れ凹部へ嵌め込み可能になっている。
このような構造を採用することで、横目地において、そもそもその裏側へ排水が浸入するのを防止できることになる。
【０００８】
また、前記ジョイントシール上には押さえシールが配備され、該押さえシールは、上位のパネルに下方向に押圧されて上下方向に圧縮した状態に保持されている。
【０００９】
【発明の実施の形態】
以下、本発明の実施の形態を、図面に基づき説明する。
図１乃至図３は、本発明に係るパネルの目地構造１の一実施形態を示している。
この目地構造１は、複数枚のパネル２が建て込まれるなかにあって、縦用の乾式目地材３を用いて乾式施工される縦目地４と、横用の乾式目地材５を用いて乾式施工される横目地６とを有している。
【００１０】
横目地６は、縦目地４に対してその側方から横突き合わせ状態で接続されており、これによって目地としてのクロス部分を形成している。すなわち、縦目地４が目地通りの基調（通し）となっている。
縦用乾式目地材３や横用乾式目地材５は、いずれも硬さと弾性とを適度に備えた合成ゴムや樹脂等によって形成された長尺物である。
縦用乾式目地材３は「￥」の文字に似た断面形状を呈したもので、左右両側へ突出したリップ部８，９を有すると共に先端側に複数のクサビ状フィン部１０を有している。リップ部８，９は、左右方向からの圧縮を受けてこれに応じた湾曲変形が可能となっている。
【００１１】
また、横用乾式目地材５は、パネル２の上端縁に固着されている取付基板と、この取付基板の前縁から後方に向かって湾曲したシール片とからなり、このシール片は、全体として上下方向に圧縮変形が可能となっている。このシール片の後端縁は上方に跳ね上がっており、これによって後述する水返しリップ部１２が形成されている。
各パネル２は、無機質材製のサイディングボード１５の裏側に木製の枠基盤１６が裏打ち状に設けられたものである。
【００１２】
パネル２の上端辺部には、枠基盤１６におけるサイディングボード１５との接合部分に、下側へ凹んだ溝状のコーキング充填用凹部１８が形成されている。またパネル２の下端辺部には、枠基盤１６におけるサイディングボード１５との接合部分に、上側へ凹んだ溝状の目地材受入れ凹部１９が形成されている。
これらコーキング充填用凹部１８と目地材受入れ凹部１９とは、パネル２相互を建て込んだ状態として、横目地６の裏側で上下方向に対向する（合致する）位置関係とされている。
【００１３】
またパネル２の上端辺部には、コーキング充填用凹部１８よりも後側で屏風状に立ち上がる板金製の水切り条材２３がシール材２４によって取り付けられている。この水切り条材２３は、上位側のパネル２の裏面側をその後方側から覆うような位置関係で立ち上がるようになっている。
また図３に示すように、パネル２の側辺部には、枠基盤１６におけるサイディングボード１５との接合部分に、断面Ｌ字状の溝２７が縦方向へ貫通して形成させている。このＬ字状溝２７は、その溝内に嵌合した状態で縦目地形成用の隙間へ向けて後側（図３上側）へ曲がりながら張り出すようになるバックガード２８を嵌め込むためのものである。
【００１４】
このバックガード２８は、例えばＰＶＣ等の樹脂によって形成された長尺物であって、Ｌ字状溝２７から張り出す先端部分を縦用乾式目地材３のフィン部１０へ係合させるようになっている。
すなわち、左右方向で隣り合うパネル２の相互間に形成される縦目地形成用の隙間内には、両パネル２から互いに対向してバックガード２８が張り出した状態になるので、これら両バックガード２８相互間へ縦用乾式目地材３を差し込むことで、縦用乾式目地材３は抜けない状態に保持され、これによって縦目地４が形成されるものである。
【００１５】
図１に示すように、縦目地４と横目地６とが交差しているクロス部分では、左右方向で隣合うパネル２のコーキング充填用凹部１８内を埋めるようにして横方向コーキング３０が充填されている。
また、図２及び図３に示すように、縦目地乾式目地材３におけるフィン部１０まわりを含んだ先端部（２番目のリップ部９から先となる部分）が埋まるように、縦方向コーキング３１が充填されており、これによってクロス部分の裏側で縦用乾式目地材３の後端側がバックアップされるかたちになっている。
【００１６】
この縦方向コーキング３１の充填を容易化するため、バックガード２８を嵌め込むためのＬ字状溝２７を利用してジョイント水切り３３が取り付けられている。
図４に示すように、このジョイント水切り３３は板金材をＵ字状に曲げたものであって、その上端縁にはパネル２（枠基盤１６）の上端辺部に係合させて脱落防止とさせる係止片３４が設けられていると共に、正面縁の上部にはパネル２のＬ字状溝２７へ差し込む位置決め片３５が設けられている。
【００１７】
更に、図２に示すように、左右で隣合うパネル２の水切り条材２３相互間には、これらに跨る状態で耐水性のジョイントシール３６が張り付けられ、そのうえで、図１に示すようにこのジョイントシール３６の上から押さえシール３７が配置されている。この押さえシール３７は、横用乾式目地材５とは干渉しないように、それより後側に設けられていることは言うまでもない。
このような構造とされたうえで、横用乾式目地材５と押さえシール３７とを共に上下方向に圧縮させつつ、上位のパネル２が建て込まれている。
【００１８】
このとき、押さえシール３７は、その一部が上位側パネル２の目地材受入れ凹部１９内へはみ出す状態になる。
また、横用乾式目地材５は、縦方向へ圧縮されることでその後縁部が後方へ突き出されながら上反り状に跳ね上がるように変形し、その結果、この後縁部が目地材受入れ凹部１９内へ嵌まり込むようになるので、この目地材受入れ凹部１９内へ嵌まり込んだ後縁部が上記した水返しリップ部１２を形成するものである。縦用乾式目地材３は、左右のパネル２によってリップ部８，９が左右方向で圧縮変形されることになり、これによって各リップ部８，９の突端部がパネル２に密着し、防水状態となる。従って、これら各リップ部８，９の相互間には、縦目地４の裏側でその長手方向に沿った縦排水通路４０が形成されることになる。
【００１９】
これに対し、横用乾式目地材５の後部では、上記したように水切り条材２３及び横方向コーキング３０が設けられていると共に、水切り条材２３における左右方向の繋ぎ目部分はジョイントシール３６や押さえシール３７によって防水処理されているので、横目地６の裏側（水切り条材２３の上面）でその長手方向に沿った横排水通路４１が形成されることになる。
そして、この横排水通路４１は、目地としてのクロス部分、即ち、縦用乾式目地材３に対して横用乾式目地材５が突き合わされる部分で、縦排水通路４０と合流されていることになる。
【００２０】
なお、このクロス部分では縦用乾式目地材３の先端部が縦方向コーキング３１によってバックアップされているので、横排水通路４１を伝う排水は、縦用乾式目地材３の先端部側（建物内部）へ漏洩することはなく確実に縦排水通路４０内へと流れ込むことになる。
このようなことから、縦目地４の裏側へ浸入した排水は縦排水通路４０によって排水されるし、横目地６の裏側へ浸入した排水は横排水通路４１から縦排水通路４０へと誘導されて、結局はこの縦排水通路４０によって排水されることになる。
【００２１】
次に、図５乃至図１２に基づいて、本発明に係る目地構造１の施工手順を説明する。
まず、図５に示すように、縦目地形成用隙間５０を形成させながら、パネル２同士を面一となるように左右方向に並べて建て込むようにする。なお、各パネル２の上端辺部に対する水切り条材２３を取り付けと、各パネル２のコーキング充填用凹部１８内への横方向コーキング３０の充填は予め工場で行われているもので、現場に搬入されたパネル２に初めから設けられている。
【００２２】
次に、図６及び図７に示すように、左右のパネル２相互間の縦目地形成用隙間５０に対し、その上方からジョイント水切り３３を差し込んで係止させ、図８に示すように、水切り条材２３相互間にジョイントシール３６を張り付ける。このとき、図９に示すようにジョイントシール３６の前端部分をジョイント水切り３３のＵ字開口内へ折れ込み可能にするため、この該当部分へ切れ目５１を入れておくとよい。
次に、図１０に示すように、各パネル２の上端辺部に横用乾式目地材５を取り付け、  図１１に示すように、ジョイントシール３６の上から押さえシール３７を取り付ける。そして、図１２に示すように、横用乾式目地材５及び押さえシール３７を共に上下方向に圧縮させつつ、上位のパネル２を建て込む。
【００２３】
その後、図示は省略するが、縦目地形成用隙間５０の正面側からジョイント水切り３３の内側へ向けて縦方向コーキング３１を充填し、そのうえで縦目地形成用隙間５０へ縦用乾式目地３を嵌め込む。
図１３は、横用乾式目地材５の別例を用いて本発明に係る目地構造１を施工した状況を示したものである。この図１３に示す横用乾式目地材５は、Ｊ字状の断面形状を有しており、下位側のパネル２に対して取り付けるものである。
また、図１４は、横用乾式目地材５の更に別例を用いて本発明に係る目地構造１を施工した状況を示したものである。この図１４に示す横用乾式目地材５もＪ字状の断面形状を有したものであるが、上記図１３のものとは異なって、上位側のパネル２に対して取り付けるものとしてある。
【００２４】
このように、図１３及び図１４に示した横用乾式目地材５の断面形状や取り付けの対象とするパネル２が異なるとしても、これら横用乾式目地材５が、いずれもその後端部を上位側パネル２の目地材受入れ凹部１９内へ嵌まり込ませたかたちとなって水返しリップ部１２を形成していることは、図１の場合と同様である。
本発明は、上記実施形態に限定されるものではなく、実施の形態に応じて適宜変更可能である。
【００２５】
【発明の効果】
以上の説明から明らかなように、本発明に係るパネルの目地構造では、構造が簡潔であると共に施工が容易であり、施工後の防水性が高く、また外観的な美麗さを長年にわたって維持できるようになっている。
【図面の簡単な説明】
【図１】本発明に係る目地構造の一実施形態を示した側断面図である。
【図２】図１のＡ−Ａ線矢視図である。
【図３】図１のＢ−Ｂ線矢視図である。
【図４】ジョイント水切りを示す斜視図である。
【図５】本発明に係る目地構造の施工手順（その１）を示した斜視図である。
【図６】本発明に係る目地構造の施工手順（その２）を示した斜視図である。
【図７】本発明に係る目地構造の施工手順（その３）を示した斜視図である。
【図８】本発明に係る目地構造の施工手順（その４）を示した斜視図である。
【図９】本発明に係る目地構造の施工手順（その５）を示した斜視図である。
【図１０】本発明に係る目地構造の施工手順（その６）を示した斜視図である。
【図１１】本発明に係る目地構造の施工手順（その７）を示した斜視図である。
【図１２】本発明に係る目地構造の施工手順（その８）を示した斜視図である。
【図１３】横用乾式目地材の別例を用いて施工した目地構造を示した側断面図である。
【図１４】横用乾式目地材の更に別例を用いて施工した目地構造を示した側断面図である。
【符号の説明】
１    目地構造
２    パネル
３    縦用乾式目地材
４    縦目地
５    横用乾式目地材
６    横目地
１２    水返しリップ部
１９    目地材受入れ凹部
３１    縦方向コーキング
４０    縦排水通路
４１    横排水通路
【図１】
0003920684.tif 000002
【図２】
0003920684.tif 000003
【図３】
0003920684.tif 000004
【図４】
0003920684.tif 000005
【図５】
0003920684.tif 000006
【図６】
0003920684.tif 000007
【図７】
0003920684.tif 000008
【図８】
0003920684.tif 000009
【図９】
0003920684.tif 000010
【図１０】
0003920684.tif 000011
【図１１】
0003920684.tif 000012
【図１２】
0003920684.tif 000013
【図１３】
0003920684.tif 000014
【図１４】
0003920684.tif 000015